(57)【特許請求の範囲】
【請求項１】
人造バランの峰縁を互いに突き合わせてケースに収容し、収容された人造バランの峰縁間に所要幅と肉厚の中仕切り部材を挿入配置して人造バランの峰縁間を拡開離隔すると共に、区画し、ケースにおける反対の人造バランの谷縁と対応する面を、その谷縁の両側縁より所要幅を支承部に構成して支承すると共に、残部を取出し口部に構成して該取出し口部より両方向に引出し可能に構成してなる人造バランの取出し方法。
【請求項２】
人造バランの峰縁を互いに突き合わせて収容するケースは、人造 バランの谷縁と対応する面を、その谷縁の両側縁より所要幅を支承する支承部に構成すると共に、残部を取出し口部に構成して該取出し口部より両方向に引出し可能に構成し、ケースに収容された人造バランの峰縁間に挿通し、峰縁間を所要に拡開離隔すると共に、区画する所要幅と肉厚の中仕切り部材を有してなる人造バランの取出し装置。
【請求項３】
請求項２の人造バランの取出し装置における取出口部を、ケース に設けたミシン目入部分を切断削除して、人造バランの谷縁の両側寄りを所要幅支える左側前後口縁壁と右側前後口縁壁の間に構成してなる人造バランの取出し装置。
【発明の詳細な説明】
【０００１】
【発明が属する技術分野】
この発明は、弁当箱において、副食物（おかず）を見た目よく、香り、味付け等が混同しないように区画する人造バランの取出し方法および装置に関する。
【０００２】
【従来の技術】
従来、前記目的で使用される人造バランは、５００枚を二枚合わせで、計１０００枚を積み重ね、ゴムバンドで結束した状態で販売されている。そこで、これを使用するときには、ゴムバンドを切り、バラした状態で、一枚づつ取り出して使用されるものである。
【０００３】
【発明が解決しようとする課題】
前記従来の項で説明したように、ゴムバンドを切りバラした状態では、人造バランの山が崩れ、乱雑になるため、その一枚を取り出すことが困難となり、流れ作業で弁当箱に詰める作業に支障を起こし、能率が上がらない欠点があった。
【０００４】
この発明は、かかる欠点を改善しようとなされたもので、弁当など食品製造事業所において、人造バランを取り出しやすいようにセットが簡単に行え、セットされた人造バランは最後の一枚まで、整列が崩れず、流れ作業に適合してその一枚一枚の取り出しが容易に行え、弁当などのおかずの間に人造バランを置くことができる、人造バランの取出し方法および装置の提供を目的とするものである。
【０００５】
【課題を解決するための手段】
人造バランの峰縁を互いに突き合わせてケースに収容し、収容された人造バランの峰縁間に所要幅と肉厚の中仕切り部材を挿入配置して人造バランの峰縁間を拡開離隔すると共に、区画し、ケースにおける反対の人造バランの谷縁と対応する面を、その谷縁の両側縁より所要幅を支承部に構成して支承すると共に、残部を取出し口部に構成して該取出し口部より両方向に引出し可能に構成してなる人造バランの取出し方法にある。
【０００６】
人造バランの峰縁を互いに突き合わせて収容するケースは、人造バランの谷縁と対応する面を、その谷縁の両側縁より所要幅を支承する支承部に構成すると共に、残部を取出し口部に構成して該取出し口部より両方向に引出し可能に構成し、ケースに収容された人造バランの峰縁間に挿通し、峰縁間を所要に拡開離隔すると共に、区画する所要幅と肉厚の中仕切り部材を有してなる人造バランの取出し装置にある。
【０００７】
前記人造バランの取出し装置における取出口部を、ケースに設けたミシン目入部分を切断削除して、人造バランの谷縁の両側寄りを所要幅支える左側前後口縁壁と右側前後口縁壁の間に構成してもよいものである。
【０００８】
【発明の実施の形態】
人造バランの峰縁を互いに突き合わせて収容するケースは、ケース本体と蓋体から構成し、そのケース本体には、人造バランの下面を支え、かつ中仕切り棒を挿通する底部透孔を具えた底部と、人造バランの左右側縁を支える左側支承壁、右側支承壁と、人造バランの谷縁の両側寄りを所要幅支える左側前後口縁壁と右側前後口縁壁とを有し、この左側前後口縁壁と右側前後口縁壁の口縁の間を、人造バランを取出す取出し口部に設け、蓋体には、中仕切り棒を挿通する蓋体透孔と取出し切欠きを具え、ケースに収容された人造バランの峰縁間に挿通し、峰縁間を所要に拡開離隔すると共に、区画する所要幅と肉厚の中仕切り部材を突設したスタンドとからなる人造バランの取出し装置。
【０００９】
【実施例】
以下、この発明の人造バランの取出し方法および装置を図１〜図４に示す第１の実施例により説明すると、人造バラン１は、図２に示すように、一般に、その人造バラン１の峰縁１ａ、１ａを突き合わせ、片側５００枚で、計１０００枚を積み重ね、ゴムバンド２で結束している。３はその取出し用ケースで、前記突き合わせ人造バラン１を収容するケース本体３ａと蓋体３ｂから構成し、そのケース本体３ａには、人造バラン１の下面を支え、かつ中仕切り棒５を挿通する底部透孔３ａ１１を具えた底部３ａ１と、人造バラン１の左右側縁１ｂ１、１ｂ２を支える左側支承壁３ａ２１、右側支承壁３ａ２２と、人造バラン１の谷縁１ｃ、１ｃの両側寄りを所要幅支える左側前後口縁壁３ａ３１と右側前後口縁壁３ａ３２とを有し、この左側前後口縁壁３ａ３１と右側前後口縁壁３ａ３２の口縁の間を人造バラン１を取出す取出し口部４、４に設けている。蓋体３ｂには、中仕切り棒５を挿通する蓋体透孔３ｂ１と取出し切欠き６、６を具え、前記ケース本体３ａの上縁外側に嵌合して被蓋するように構成されるものである。
【００１０】
スタンド７は、適宜肉厚の方形板体７ａにおける上面の中心に前記中仕切り棒５を突設している。
【００１１】
図１〜図４に示す第１の実施例は、前述のように構成されるから、図２および図３に示すように、ゴムバンド２により突き合わせ人造バラン１、１を例えば、２段、ケース本体３ａに夫々の谷縁１ｂ、１ｂを左側支承壁３ａ２１、右側支承壁３ａ２２の内側に対面させて収容する。
【００１２】
次に、ゴムバンド２、２を開口部４で切断除去して底部３ａ１の底部透孔３ａ１１より拡開中仕切り棒５を挿通し、人造バラン１、１の峰縁１ａ、１ａの間に圧入し、夫々の人造バラン１、１を前後に離隔すると共に、峰縁１ａ、１ａに接して中仕切りをする。そして、ケース本体３ａの上縁に蓋体３ｂを嵌合し、中心の蓋体透孔３ｂ１に中仕切り棒５の上端を挿通支承して、人造バランセットスタンド８を構成するものである。
【００１３】
そこで、この人造バランセットスタンド８を作業者のそばに置き一方の取出し口部４から人造バラン１を取り出すものである。人造バラン１の谷縁１ｃの両側部は左側前後口縁壁３ａ３１と右側前後口縁壁３ａ３２に支えられているので、ケース本体３ａ内から外に落ちることはなく整列して収容することができ、蓋体３ｂの取出し切欠き６、６内に指を入れて、最上の人造バラン１に当て、摩擦力により外方に引き出すと、左側前後口縁壁３ａ３１と右側前後口縁壁３ａ３２の内側は湾曲して取出し口部の間を通過する。その下側の人造バラン１は、上方からの圧力を受けて平面を維持するので、左側前後口縁壁３ａ３１と右側前後口縁壁３ａ３２に支えられて、その場にとどまり、最上段の一枚のみが取出し口部４から容易に引き出されるのである。そして片側の人造バラン１が引き出されて片側が空間になっても、他側の積重収容される人造バラン１は中仕切り棒５により支えられているので、空間側に崩れ落ちることがなく、積重整列が維持されるのである。そして片側の人造バラン１がなくなったら、この人造バランセットスタンド８を回して新しい側を手前に向ければ、そのまま引き続き、人造バラン１を取り出すことができ、差し入れ作業を続けることができるのである。
【００１４】
次に、この発明の人造バランの取出し方法および装置を、図５〜図７に示す第２の実施例により説明すると、予め２枚を突き合わせた状態で、包装箱９に収容し、この包装箱９の前後面および上下面に所要の取出し口部用ミシン目１０を入れ、その包装箱９を支承して縦置きする支承壁１１ａ、１１ｂと中仕切り棒１２を基板１３に立設した起立スタンド１４を用意し、取出し口部用ミシン目１０内を切り取った包装箱９を起立スタンド１４にセットして人造バラン包装箱セットスタンド１５を構成してなるものである。
【００１５】
取出口用ミシン目１０内を切り取った包装箱９は、図７に示すように、第１の実施例と同様に、例えば、その立置き状態で、上面９ａには、取り出し上面切り欠き９ａ１ができ、取出し口部１６の両側に、人造バラン１の谷縁１ｃの両側よりを支承する左側前後口縁壁９ｂ１と右側前後口縁壁９ｂ２を夫々構成できるものである。
【００１６】
【発明の効果】
この発明の人造バランの取出し方法および装置は、以上のように、突き合された２枚の人造バランは、取出しケースまたは包装箱に収容され、その取出しケースまたは包装箱の取出し口に対して谷縁の両側の所要幅が支承されているから、上方から押圧引出し力を受けたときに、その両側部は湾曲して開口から引出され、その２枚目は上からの圧力で平面を維持し、取出し口部から追従して引出されることがなく、最上段の人造バランの一枚のみが引出されるのである。
【００１７】
次に、２枚の人造バランの突き合せ縁に中仕切り棒が挿通されるから、人造バランは、拡開離隔させられて開口側に押し出され、その付勢作用によって容易に引出すことができると共に、他側に対して区画し、引出されて空間となった片側に崩れ落ちることが防止されるのである。そして最下段まで引出したら開口部を反対側に向ければ、直ちに、新しく引出すことができるのである。
【００１８】
よって、この発明の人造バランの取出し方法および装置は、弁当など食品製造事業所において、人造バランを取り出しやすいようにセットが簡単に行え、セットされた人造バランは最後の一枚まで、整列が崩れず、流れ作業に適合してその一枚一枚の取り出しが容易に行え、弁当などのおかずの間に人造バランを置くことができ、この種作業の能率アップに飛躍的効果を奏するものである。
【図面の簡単な説明】
【図１】この発明の人造バランの取出し方法および装置の第１実施例の全体外観斜視図である。
【図２】同じく、その第１実施例のケースと、ゴムバンドで結束された人造バランを整列して置くスタンドとに分解した状態を示す分解斜視図である。
【図３】ゴムバンドで結束された人造バランをケースに収容し、拡開棒が突出するスタンドと対応させた状態を示す斜視図である。
【図４】ケースに収容した人造バランの突き合わせ縁に拡開棒を挿通してスタンドにセットし、ケース上端に上蓋を被蓋する状態を示す斜視図である。
【図５】この発明の人造バランの取出し方法および装置の第２実施例における、取出し口部にミシン目を入れて開封自在にした人造バラン包装箱の斜視図である。
【図６】同じく、第２実施例における、スタンド単体の斜視図である。
【図７】同じく、第２実施例における、人造バラン包装箱をスタンドにセットする状態の斜視図である。
【符号の説明】
１  人造バラン
１ａ  峰縁
１ｂ１  左側縁
１ｂ２  右側縁
１ｃ  谷縁
２  ゴムバンド
３  取出し用ケース
３ａ  ケース本体
３ａ１  底部
３ａ１１  底部透孔
３ａ２１  左側支承壁
３ａ２２  右側支承壁
３ａ３１  左側前後口縁袖壁
３ａ３２  右側前後口縁袖壁
３ｂ  蓋体
３ｂ１  蓋体透孔
４  取出し口部
５  中仕切り棒
６  取出し切欠き
７  スタンド
７ａ  方形板体
８  人造バランセットスタンド
９  包装箱
９ａ  上面
９ａ１  取り出し上面切り欠き
９ｂ１  左側前後口縁壁
９ｂ２  右側前後口縁壁
１０  取出し口部用ミシン目
１１ａ  支承壁
１１ｂ  支承壁
１２  中仕切り棒
１３  基板
１４  起立スタンド
１５  人造バラン包装箱セットスタンド
１６  開口部
【図１】
0003569886.tif 000002
【図２】
0003569886.tif 000003
【図３】
0003569886.tif 000004
【図４】
0003569886.tif 000005
【図５】
0003569886.tif 000006
【図６】
0003569886.tif 000007
【図７】
0003569886.tif 000008